(57)【要約】【課題】吊り下げて保管することが可能なトリガー式液体噴出器に関する。【解決手段】本体部は、容器本体に装着可能に構成された装着部と、装着部から容器本体とは反対側に向けて延出した縦筒部と、縦筒部の装着部とは反対側の端部から液体の噴出方向に向けて延出した横筒部とを備え、操作レバーは、本体部の横筒部から容器本体側に向けて延出するよう、その基端部が該横筒部に揺動可能に支持されており、ポンプの少なくとも一部は、操作レバーと、装着部、縦筒部及び横筒部との間に形成される空間内に配置されており、トリガー式液体噴出器は、空間内におけるポンプよりも容器本体側に設けられたポンプ保護手段を更に備え、ポンプ保護手段は、操作レバーの揺動に干渉しないよう構成されている。【選択図】図１
2020104909.tif 000002
【特許請求の範囲】
【請求項１】
容器本体内の液体を吸引及び圧送可能なポンプが内蔵された本体部と、前記ポンプを作動させる操作レバーと、前記ポンプの作動によって液体を噴出させるノズルとを備えるトリガー式液体噴出器であって、
前記本体部は、
前記容器本体に装着可能に構成された装着部と、
前記装着部から前記容器本体とは反対側に向けて延出した縦筒部と、
前記縦筒部の前記装着部とは反対側の端部から前記液体の噴出方向に向けて延出した横筒部と
を備え、
前記操作レバーは、前記本体部の前記横筒部から前記容器本体側に向けて延出するよう、その基端部が該横筒部に揺動可能に支持されており、
前記ポンプの少なくとも一部は、前記操作レバーと、前記装着部、前記縦筒部及び前記横筒部との間に形成される空間内に配置されており、
前記トリガー式液体噴出器は、前記空間内における前記ポンプよりも前記容器本体側に設けられたポンプ保護手段を更に備え、
前記ポンプ保護手段は、前記操作レバーの揺動に干渉しないよう構成されている
トリガー式液体噴出器。
【請求項２】
前記ポンプ保護手段は、前記操作レバーから前記本体部に向けて延出するよう、該操作レバーに設けられている
請求項１に記載のトリガー式液体噴出器。
【請求項３】
前記ポンプ保護手段は、前記本体部との干渉を避けるための凹部を有する
請求項２に記載のトリガー式液体噴出器。
【請求項４】
前記ポンプ保護手段は、前記本体部から前記操作レバーに向けて延出するよう、該本体部に設けられている
請求項１に記載のトリガー式液体噴出器。
【請求項５】
前記ポンプ保護手段は、前記操作レバーとの干渉を避けるための凹部を有する
請求項４に記載のトリガー式液体噴出器。
【請求項６】
前記ポンプは、円筒状のシリンダと、該シリンダ内を往復動するピストンとを備えており、
前記ポンプ保護手段は、前記ピストンと前記シリンダとの間に配されており、前記操作レバーが非作動位置に位置する状態において、前記シリンダから前記操作レバーに向けて延出するよう構成されている
請求項１に記載のトリガー式液体噴出器。
【請求項７】
前記ポンプ保護手段は、前記操作レバーの揺動に伴う前記ピストンの往復動に追従して、前記シリンダ内を往復動するよう構成されている
請求項６に記載のトリガー式液体噴出器。
【請求項８】
液体を収容する容器本体と、
請求項１〜７いずれか１項に記載のトリガー式液体噴出器と
を備えるトリガー式スプレー容器。
【発明の詳細な説明】
【技術分野】
【０００１】
本発明は、トリガー式液体噴出器及びこれを備えるトリガー式スプレー容器に関する。
【背景技術】
【０００２】
従来、住居用洗剤、カビ取り剤、整髪剤、芳香剤及び消臭剤等の液体を霧状又は泡状にして噴出させるよう構成されたトリガー式スプレー容器が知られている（特許文献１等）。従来のトリガー式スプレー容器は、液体を収容する容器本体と、該容器本体の口部に取り付けられるトリガー式液体噴出器とを備えている。トリガー式液体噴出器は、操作レバーの牽曳操作によって作動するポンプにより、容器本体内の液体をノズルから霧状又は泡状にして噴出させるよう構成されている。
【０００３】
また、近年、浴室のタオル掛け、ドアの取っ手、キッチンの吊り戸棚のポール、ロッカー及び洋服ダンス内のポール等の棒状部位に、トリガー式スプレー容器を吊り下げて保管するための吊り下げ具が提案されている（特許文献２等）。
【先行技術文献】
【特許文献】
【０００４】
【特許文献１】特開２００８−２００５７２号公報
【特許文献２】特開２０１７−８８２１５号公報
【発明の概要】
【発明が解決しようとする課題】
【０００５】
しかしながら、従来のトリガー式スプレー容器は、床面等に置いて保管することを想定して設計されており、吊り下げて保管することを想定して設計されたものではない。このため、上述した浴室のタオル掛け等や特許文献２の吊り下げ具の横架部３１等の被吊り下げ部位に従来のトリガー式スプレー容器を吊り下げると、該被吊り下げ部位がトリガー式液体噴出器のポンプのピストンに接触して、該ピストンに可動方向とは異なる方向の負荷がかかり、これにより、ピストンとシリンダとの間のシール性が低下して部材相互間からの液漏れを引き起こすおそれがある。
【０００６】
本発明は、吊り下げて保管することが可能なトリガー式液体噴出器及びこれを備えるトリガー式スプレー容器に関する。
【課題を解決するための手段】
【０００７】
本発明は、容器本体内の液体を吸引及び圧送可能なポンプが内蔵された本体部と、前記ポンプを作動させる操作レバーと、前記ポンプの作動によって液体を噴出させるノズルとを備えるトリガー式液体噴出器であって、前記本体部は、前記容器本体に装着可能に構成された装着部と、前記装着部から前記容器本体とは反対側に向けて延出した縦筒部と、前記縦筒部の前記装着部とは反対側の端部から前記液体の噴出方向に向けて延出した横筒部とを備え、前記操作レバーは、前記本体部の前記横筒部から前記容器本体側に向けて延出するよう、その基端部が該横筒部に揺動可能に支持されており、前記ポンプの少なくとも一部は、前記操作レバーと、前記装着部、前記縦筒部及び前記横筒部との間に形成される空間内に配置されており、前記トリガー式液体噴出器は、前記空間内における前記ポンプよりも前記容器本体側に設けられたポンプ保護手段を更に備え、前記ポンプ保護手段は、前記操作レバーの揺動に干渉しないよう構成されているトリガー式液体噴出器に関する。
【０００８】
また、本発明は、液体を収容する容器本体と、上述したトリガー式液体噴出器とを備えるトリガー式スプレー容器に関する。
【発明の効果】
【０００９】
本発明に係るトリガー式液体噴出器及びトリガー式スプレー容器は、吊り下げて保管することが可能である。
【図面の簡単な説明】
【００１０】
【図１】第１実施形態に係るトリガー式スプレー容器を概略的に示す図である。
【図２】図１のＡ−Ａ´線に沿った拡大断面図であり、第１実施形態に係るポンプ保護手段を示している。
【図３】図３（ａ）は、第１実施形態に係るトリガー式スプレー容器を被吊り下げ部位に吊り下げた状態を示す図であり、図３（ｂ）は、トリガーを牽曳させた状態を示す図である。
【図４】第２実施形態に係るトリガー式スプレー容器を概略的に示す図である。
【図５】第２実施形態に係るポンプ保護手段を概略的に示す斜視図である。
【図６】第３実施形態に係るトリガー式スプレー容器を概略的に示す図である。
【図７】第３実施形態に係るポンプ保護手段を概略的に示す斜視図である。
【発明を実施するための形態】
【００１１】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１２】
［第１実施形態］
まず、本発明の第１実施形態に係るトリガー式スプレー容器１について、図１〜図３を用いて説明する。第１実施形態に係るトリガー式スプレー容器１は、概略的には、操作レバー２６から本体部３０に向けて設けられたポンプ保護手段５０によってポンプ４０を保護することで、吊り下げて保管することが可能に構成されている。なお、第１実施形態に係るトリガー式スプレー容器１は、住居用洗剤、カビ取り剤、整髪剤、芳香剤及び消臭剤等の液体を霧状又は泡状にして噴出させる用途で用いることが可能であるが、これに限定されるものではない。
【００１３】
具体的には、第１実施形態に係るトリガー式スプレー容器１は、図１に示すように、液体を収容可能な容器本体１０と、使用者の手動操作によって容器本体１０内の液体を噴出させることが可能なトリガー式液体噴出器２０とを備えている。なお、以下の説明では、後述するノズル２４からの液体の噴出方向を「前方」とし、その反対方向を「後方」として説明する。また、容器本体１０からトリガー式液体噴出器２０に向かう方向（トリガー式液体噴出器２０から見た場合における、容器本体１０とは反対側）を「上方」とし、その反対方向（トリガー式液体噴出器２０から見た場合における、容器本体１０側）を「下方」として説明する。
【００１４】
容器本体１０は、図１に示すように、上部に小径円筒状の口筒部１２を有する有底筒状に形成された容器であり、その内部空間において、液体を収容可能に構成されている。なお、このような容器本体１０は、種々の公知の構成を採用可能であるため、その詳細な説明を省略する。
【００１５】
トリガー式液体噴出器２０は、図１に示すように、容器本体１０内の液体を吸引及び圧送することが可能なポンプ４０が内蔵された本体部３０と、本体部３０の前方側に設けられ、本体部３０に対して揺動させることでポンプ４０を作動させる操作レバー２６（トリガー）と、本体部３０の前方端部に設けられ、ポンプ４０の作動によって液体を外部に向けて噴出させるノズル２４と、ポンプ４０よりも下方（容器本体１０側）の空間に設けられたポンプ保護手段５０とを備えている。
【００１６】
なお、第１実施形態に係るトリガー式液体噴出器２０において、ポンプ保護手段５０に関連する構成以外の構成については、種々の公知のトリガー式液体噴出器の構成を採用可能であるため、以下では一例に関する簡略的な説明にとどめ、その詳細な説明は省略する。
【００１７】
本体部３０は、図１に示すように、容器本体１０の口筒部１２に装着可能に構成された装着キャップ２２（装着部）と、装着キャップ２２から上方（容器本体１０とは反対側）に向けて延出した縦筒部３４と、縦筒部３４の上端部（装着キャップ２２とは反対側の端部）から前方（液体の噴出方向）に向けて延出してノズル２４に接続された横筒部３６と、縦筒部３４の中途部から前方に向けて延在する円筒状の保持部３８と、保持部３８内に保持されたポンプ４０と、縦筒部３４、横筒部３６及び保持部３８を覆い隠すヘッドカバー２８とを備えている。
【００１８】
縦筒部３４は、図１に示すように、装着キャップ２２の上部開口（図示せず）に挿通される円筒状のネック部３２を下端に有している。ネック部３２は、装着キャップ２２に比して、操作レバー２６の揺動方向に対して交差する方向の幅（すなわち、径）が小さい。また、縦筒部３４は、円筒状のインテイク３５をその内部に有している。インテイク３５は、その下端が容器本体１０内に延在するパイプ３７に連通されると共に、その上端が横筒部３６の後端に連通されており、これにより、パイプ３７、インテイク３５及び横筒部３６によって容器本体１０からノズル２４に至る送給経路が形成されている。インテイク３５には、後述するポンプ室４６に連通する連通孔３５ａが形成されると共に、連通孔３５ａの上流側及び下流側にそれぞれ吸入弁３５ｂ及び吐出弁３５ｃが配されており、ポンプ４０の作動によって、容器本体１０からポンプ室４６内への液体の吸引と、ポンプ室４６からノズル２４への圧送を行うことが可能に構成されている。
【００１９】
ポンプ４０は、図１に示すように、保持部３８に嵌合保持される円筒状のシリンダ４２と、シリンダ４２の内側において往復動可能に収容されたピストン４４とを備えている。ピストン４４は、シリンダ４２よりも小径に形成されており、これにより、その外周面とシリンダ４２の内周面との間に隙間が形成されている。ピストン４４の後端部には、シリンダ４２の内周面に対して摺動可能に液密に当接する環状のシール部４５が突設されており、該シール部４５によってシリンダ４２の内側を封止することにより、シール部４５よりも後方側にポンプ室４６を形成するよう構成されている。ピストン４４は、その前端部が操作レバー２６に係合されると共に、その内部に設けられたコイルスプリング４７によって操作レバー２６を押し戻す方向（ポンプ室４６の拡張方向）に向けて付勢されている。
【００２０】
操作レバー２６は、図１に示すように、その上端部（基端部）が本体部３０の横筒部３６の先端部側において揺動可能に枢着され、縦筒部３４、保持部３８及び装着キャップ２２と対向するよう、該横筒部３６から下方（容器本体１０側）に向けて垂下して設けられている。操作レバー２６の後面は、上述のとおりピストン４４の前端部に係合されており、該操作レバー２６の往復動によってピストン４４を往復動させるよう構成されている。第１実施形態に係るトリガー式液体噴出器２０は、このように垂下された操作レバー２６により、操作レバー２６と、本体部３０の装着キャップ２２、縦筒部３４及び横筒部３６との間に空間が形成され、該空間内にポンプ４０のピストン４４が配置されている。
【００２１】
第１実施形態に係るトリガー式液体噴出器２０は、以上の構成を備えることにより、操作レバー２６を容器本体１０に接近させるよう牽曳してピストン４４をシリンダ４２に対して後退させることで、ポンプ室４６内の液体を加圧し、該加圧力によって吸入弁３５ｂを弁座に押し付けて閉状態を維持しつつ吐出弁３５ｃを弁座から離間させて開状態に変位させることで、ポンプ室４６内の液体を送給経路を介してノズル２４から外部に噴射させることが可能である。また、第１実施形態に係るトリガー式液体噴出器２０は、液体の噴射後、操作レバー２６を解放すると、コイルスプリング４７の付勢力によってピストン４４及び操作レバー２６が前方に押し戻され、これによってポンプ室４６内が負圧となり、該負圧によって吸入弁３５ｂを弁座から離間させて開状態に変位させつつ吐出弁３５ｃを弁座に押し付けて閉状態とすることで、容器本体１０内の液体をパイプ３７を介してポンプ室４６内に流入させることが可能である。このような操作レバー２６の牽曳と解放を繰り返すことにより、容器本体１０内の液体をノズル２４から連続的に噴射することが可能である。
【００２２】
ポンプ保護手段５０は、図１及び図２に示すように、略Ｕ字状の凹部５２を有する板状に形成されており、該凹部５２の開口側が本体部３０のネック部３２側に向くように、ポンプ４０よりも下方側において、操作レバー２６から本体部３０のネック部３２に向けて延出して設けられている。なお、ここでいう「ポンプ４０よりも下方」とは、ポンプ４０よりも高さレベルが低い位置という意味であり、ポンプ４０の真下に限定されるものではない。また、ポンプ保護手段５０は、操作レバー２６と一体として設けられる構成（操作レバー２６の一部の構成）としても良いし、操作レバー２６に取り付けられた別部材の構成としても良い。
【００２３】
ポンプ保護手段５０は、図１及び図３（ａ）に示すように、操作レバー２６の非作動位置（コイルスプリング４７によって付勢された初期位置）において、ポンプ保護手段５０の後端と本体部３０のネック部３２との間を被吊り下げ部位Ｐが通過できない程度の長さを有している。具体的には、ポンプ保護手段５０は、操作レバー２６の非作動位置において、操作レバー２６の後端部と本体部３０のネック部３２との間の距離の約半分以上を埋める長さを有することが好ましく、操作レバー２６の後端部から本体部３０のネック部３２に至る長さを有することが更に好ましい。また、操作レバー２６の非作動位置において、ポンプ保護手段５０の本体部３０側の先端が、本体部３０または装着キャップ２２と重なっていてもよい。なお、被吊り下げ部位Ｐとしては、例えば、特許文献２の吊り下げ具の横架部３１や、フック、浴室のタオル掛け、ドアの取っ手、キッチンの吊り戸棚のポール、ロッカー及び洋服ダンス内のポール等の棒状部位や、棚の縁等の種々の薄壁等が例示されるが、これらに限定されるものではない。
【００２４】
また、ポンプ保護手段５０は、図３（ａ）に示すように、ポンプ保護手段５０が被吊り下げ部位Ｐと接触するよう該被吊り下げ部位Ｐにトリガー式スプレー容器１を吊り下げた際に、該トリガー式スプレー容器１の荷重に耐え得る剛性を有している。このような剛性は、ポンプ保護手段５０の材質や厚み等を調整することにより実現可能である。例えば、ポンプ保護手段５０は、金属、木材又は合成樹脂等から形成される。合成樹脂は、例えばＰＰ（ポリプロピレン）やＰＥ（ポリエチレン）等を好適に用いることが可能であるが、これらに限定されるものではない。
【００２５】
凹部５２は、図２及び図３（ｂ）に示すように、操作レバー２６の作動位置（操作レバー２６を牽曳させた位置。牽引限位置）において、本体部３０のネック部３２を挿通させることが可能な大きさ及び形状を有すると共に、本体部３０のネック部３２を挿通させることが可能な位置に配置されており、これにより、本体部３０のネック部３２との干渉を避けるよう構成されている。具体的には、凹部５２は、本体部３０のネック部３２の幅（ネック部３２の径）よりも僅かに大きい間隔をおいて離間して設けられた一対の突起片５２ａ，５２ｂを有しており、操作レバー２６を牽引させた際に該一対の突起片５２ａ，５２ｂ間にネック部３２が挿入されるよう構成されている。一対の突起片５２ａ，５２ｂの間は、ネック部３２にフィット可能な半円状に形成されることが好ましいが、これに限定されるものではない。
【００２６】
以上説明したとおり、第１実施形態に係るトリガー式スプレー容器１は、ポンプ４０の少なくとも一部（ピストン４４）が、操作レバー２６と装着キャップ２２、縦筒部３４及び横筒部３６との間に形成される空間内に配置されると共に、該空間内におけるポンプ４０よりも下方にポンプ保護手段５０が設けられ、このポンプ保護手段５０が、操作レバー２６の揺動に干渉しないよう構成されている。なお、ここでいう「干渉しない」とは、操作レバー２６の揺動を阻害しないことを意味し、より狭義には、操作レバー２６の上記非作動位置と上記作動位置との間の揺動経路上において該操作レバー２６と接触しないことを意味する。当該狭義の定義において、操作レバー２６が作動位置（牽引限位置）においてポンプ保護手段５０と接触することは許容される。
【００２７】
このような構成を備えるトリガー式スプレー容器１によれば、操作レバー２６と装着キャップ２２、縦筒部３４及び横筒部３６との間に形成される空間内に被吊り下げ部位Ｐが挿入された場合であっても、ポンプ保護手段５０によって被吊り下げ部位Ｐがポンプ４０に接触することを防止することが可能となる。これにより、第１実施形態に係るトリガー式スプレー容器１では、ポンプ４０のピストン４４に負荷を与えることなく、ポンプ保護手段５０によってトリガー式スプレー容器１の荷重を支えることが可能となるため、図３（ａ）に示すように、液漏れ等の問題を生じることなく、任意の被吊り下げ部位Ｐに吊り下げて保管することが可能となる。また、図３（ｂ）に示すように、ポンプ保護手段５０が操作レバー２６の牽曳操作を阻害しないよう構成されているため、ポンプ保護手段５０を取り外す等の面倒な作業を行うことなく、トリガー式スプレー容器１を直ちに使用することが可能となると共に、ポンプ保護手段５０を設けることによって液体の噴出性能（例えば液体の吐出量や勢い等）や操作レバーの操作性能（例えば牽引力等）を低下させることも無い。
【００２８】
特に、第１実施形態に係るトリガー式スプレー容器１では、ポンプ保護手段５０の凹部５２が一対の突起片５２ａ，５２ｂを有し、該一対の突起片５２ａ，５２ｂによって操作レバー２６の牽曳をガイドすることが可能となるため、操作レバー２６が斜め方向に牽曳されることを防止することが可能となる。これにより、シリンダ４２の内周面とピストン４４のシール部４５との間のシール性を維持することが可能となるため、液漏れの発生をより一層抑えることが可能となる。
【００２９】
［第２実施形態］
次に、本発明の第２実施形態に係るトリガー式スプレー容器１´について、図４及び図５を用いて説明する。第２実施形態に係るトリガー式スプレー容器１´は、概略的には、本体部３０から操作レバー２６に向けて設けられたポンプ保護手段５０´によってポンプ４０を保護することで、吊り下げて保管することが可能に構成されている。なお、第２実施形態に係るトリガー式スプレー容器１´において、ポンプ保護手段５０´以外の構成については、第１実施形態に係るトリガー式スプレー容器１と同一の構成を採用可能であるため、その説明を省略する。
【００３０】
ポンプ保護手段５０´は、図４及び図５に示すように、略Ｕ字状の凹部５２´を有する板状に形成されており、該凹部５２´が操作レバー２６側に向くように、ポンプ４０よりも下方側において、ネック部３２から操作レバー２６に向けて延出して設けられている。なお、ポンプ保護手段５０´は、トリガー式スプレー容器１´の組み立て時に組み込んでもよく、貫通孔５４´の周囲にスリットを設けてトリガー式スプレー容器１´の組み立て後に嵌め込んでもよい。また、第２実施形態に係るトリガー式スプレー容器１´において、ポンプ保護手段５０´は、図５に示すように、本体部３０のネック部３２が挿通可能な貫通孔５４´を有する別部材であるが、これに限定されず、本体部３０のネック部３２と一体として設けられる構成（ネック部３２の一部の構成）としても良い。
【００３１】
ポンプ保護手段５０´は、第１実施形態に係るポンプ保護手段５０と同様に、操作レバー２６の非作動位置において、ポンプ保護手段５０´の先端と操作レバー２６との間を被吊り下げ部位Ｐが通過できない程度の長さを有しており、また、トリガー式スプレー容器１´の吊り下げ荷重に耐え得る剛性を有している。例えば、ポンプ保護手段５０´は、金属、木材又は合成樹脂等から形成される。合成樹脂は、例えばＰＰ（ポリプロピレン）やＰＥ（ポリエチレン）等を好適に用いることが可能であるが、これらに限定されるものではない。
【００３２】
凹部５２´は、操作レバー２６の作動位置（操作レバー２６を牽曳させた位置）において、操作レバー２６を挿通させることが可能な大きさ及び形状を有しており、操作レバー２６との干渉を避けるよう構成されている。凹部５２´は、操作レバー２６にフィット可能な矩形状に形成されることが好ましい。
【００３３】
以上の構成を備えるトリガー式スプレー容器１´においても、第１実施形態に係るトリガー式スプレー容器１と同様に、任意の被吊り下げ部位Ｐに吊り下げて保管することが可能となると共に、ポンプ保護手段５０´を取り外す等の面倒な作業を行うことなく直ちに使用することが可能となる。また、ポンプ保護手段５０´の凹部５２´によって操作レバー２６の牽曳をガイドすることが可能となるため、液漏れの発生をより一層抑えることが可能となる。
【００３４】
［第３実施形態］
次に、本発明の第３実施形態に係るトリガー式スプレー容器１´´について、図６及び図７を用いて説明する。第３実施形態に係るトリガー式スプレー容器１´´は、概略的には、ピストン４４の下方を覆うようシリンダ４２から延出したポンプ保護手段５０´´によってピストン４４を保護することで、吊り下げて保管することが可能に構成されている。なお、第３実施形態に係るトリガー式スプレー容器１´´において、ポンプ保護手段５０´´以外の構成については、第１実施形態に係るトリガー式スプレー容器１と同一の構成を採用可能であるため、その説明を省略する。
【００３５】
ポンプ保護手段５０´´は、図６及び図７に示すように、半円弧状の断面形状を有する半円筒状の板材からなり、ピストン４４のシール部４５よりも前方側における、ピストン４４の外周面とシリンダ４２の内周面との間の隙間に設けられている。ポンプ保護手段５０´´は、ピストン４４の外周面とシリンダ４２の内周面との間の隙間にフィット可能な大きさ及び形状を有することが好ましい。第３実施形態に係るトリガー式スプレー容器１´´において、ポンプ保護手段５０´´は、ピストン４４の外周面とシリンダ４２の内周面との間の隙間に組み入れられる別部材であるが、これに限定されず、ピストン４４と一体として設けられる構成（ピストン４４の一部の構成）としても良い。
【００３６】
ポンプ保護手段５０´´は、図６に示すように、操作レバー２６が非作動位置に位置する状態おいて、シリンダ４２の前端開口から操作レバー２６の後面に向けて延出して設けられており、ピストン４４の少なくとも下方を保護するよう構成されている。ポンプ保護手段５０´´は、第１及び第２実施形態に係るポンプ保護手段５０，５０´と同様に、操作レバー２６の非作動位置において、ポンプ保護手段５０´´の前端と操作レバー２６との間を被吊り下げ部位Ｐが通過できない程度の長さを有しており、また、トリガー式スプレー容器１´´の吊り下げ荷重に耐え得る剛性を有している。例えば、ポンプ保護手段５０´´は、金属、木材又は合成樹脂等から形成される。合成樹脂は、例えばＰＰ（ポリプロピレン）やＰＥ（ポリエチレン）等を好適に用いることが可能であるが、これらに限定されるものではない。
【００３７】
ポンプ保護手段５０´´は、操作レバー２６の揺動に伴うピストン４４の往復動に追従してシリンダ４２内を往復動するよう構成されており、これにより、操作レバー２６の作動位置（操作レバー２６を牽曳させた位置）において、操作レバー２６との干渉を避けるよう構成されている。
【００３８】
以上の構成を備えるトリガー式スプレー容器１´´においても、第１及び第２実施形態に係るトリガー式スプレー容器１，１´と同様に、任意の被吊り下げ部位Ｐに吊り下げて保管することが可能となると共に、ポンプ保護手段５０´´を取り外す等の面倒な作業を行うことなく直ちに使用することが可能となる。また、第３実施形態に係るトリガー式スプレー容器１´´によれば、ポンプ保護手段５０´´によってピストン４４の外周面とシリンダ４２の内周面との間の隙間を埋めることが可能となるため、操作レバー２６の牽曳操作によりピストン４４がシリンダ４２に対して傾くことがなく、液漏れの発生をより一層抑えることが可能となる。
【００３９】
以上、本発明の好適な実施形態として第１〜第３実施形態を例示して説明したが、本発明の技術的範囲は、上述した実施形態に記載の範囲には限定されない。上記各実施形態には、多様な変更又は改良を加えることが可能である。
【００４０】
例えば、保護手段は、上述した第１〜第３実施形態に係るポンプ保護手段５０，５０´，５０´´の構成に限定されるものではなく、ポンプよりも下方の空間に設けられ、かつ、操作レバーの揺動に干渉しないよう構成されたものであれば種々の構成を採用することが可能である。
【００４１】
特に、上述した第１実施形態では、ポンプ保護手段５０が操作レバー２６から本体部３０のネック部３２に向けて延出されるものとして説明したが、これに限定されず、例えば、操作レバー２６から装着キャップ２２、保持部３８、シリンダ４２又はヘッドカバー２８等の他の部位に向けて延出される構成としても良い。ただし、本体部３０のネック部３２等、操作レバー２６の揺動方向に対して交差する方向の幅が小さい部分に向けて延出される構成の方が、ポンプ保護手段５０の大きさ（幅）を抑えることが可能となるため、好ましい。
【００４２】
また、上述した第２実施形態では、ポンプ保護手段５０´が本体部３０のネック部３２から操作レバー２６に向けて延出されるものとして説明したが、これに限定されず、例えば、装着キャップ２２、保持部３８、シリンダ４２又はヘッドカバー２８等の他の部位から操作レバー２６に向けて延出される構成としても良い。
【００４３】
さらに、上述した第３実施形態では、ポンプ保護手段５０´´が半円筒状の板材からなるものとして説明したが、これに限定されず、例えば、ピストン４４の周囲を覆う円筒状の筒部材や、ピストン４４の下方において同軸方向に延びる線状又は棒状の部材等の種々の構成を採用することが可能である。
【００４４】
また、上述した第１及び第２実施形態では、ポンプ保護手段５０，５０´に形成された凹部５２，５２´によって操作レバー２６の揺動を阻害しない構成としたが、これに限定されず、例えば、本体部３０のネック部３２を挟んで水平方向に離間させた一対の支持片や棒状部材の構成等、操作レバー２６の揺動に干渉しない構成であれば、種々の構成を採用することが可能である。
【００４５】
さらに、上述した第３実施形態では、ポンプ保護手段５０´´をシリンダ４２内で往復動させることによって操作レバー２６の揺動を阻害しない構成としたが、これに限定されず、ポンプ保護手段５０´´を操作レバー２６の揺動に干渉しない大きさ及び形状に設定することにより、ポンプ保護手段５０´´を往復動させない構成とすることも可能である。
【００４６】
上記のような変形例が本発明の範囲に含まれることは、特許請求の範囲の記載から明らかである。
【符号の説明】
【００４７】
１，１´，１´´  トリガー式スプレー容器、１０  容器本体、２０  トリガー式液体噴出器、２２  装着キャップ（装着部）、２４  ノズル、２６  操作レバー、２８  ヘッドカバー、３０  本体部、３２  ネック部、３４  縦筒部、３６  横筒部、４０  ポンプ、４２  シリンダ、４４  ピストン、４５  シール部、４６  ポンプ室、５０，５０´，５０´´  ポンプ保護手段、５２，５２´  凹部、Ｐ    被吊り下げ部位
【図１】
2020104909.tif 000003
【図２】
2020104909.tif 000004
【図３】
2020104909.tif 000005
【図４】
2020104909.tif 000006
【図５】
2020104909.tif 000007
【図６】
2020104909.tif 000008
【図７】
2020104909.tif 000009